(57)【特許請求の範囲】
【請求項１】
引張り軸力（Ｆ）を生ずるアクチュエータ（６）と、該アクチュエータ（６）からねじロッド（１）のねじ部（１ｂ）へ該軸力を伝達するタイロッド（７）と、ロック要素（４２）とを有するロッド引張り装置（２）において、上記タイロッド（７）は、該タイロッド（７）が、ねじロッド（１）のねじ部に係合する閉位置と、爪部（２７）がねじロッド（１）のねじ部（１ｂ）から解放される開位置との間を、半径方向に可動となっており、上記ロック要素（４２）は爪部（２７）の周囲で軸方向に滑動可能なスリーブ（４３）を有し、該スリーブ（４３）が爪部（２７）の対応外面と接触する切頭円錐内面（４５）を有し、  スリーブ（４３）は、三つの半径方向突出要素（５１）を有し、各半径方向突出要素（５１）が二つの隣接爪部（２７）のエッジ案内面（３８，３９）同士間で滑動するように配されており、上記エッジ案内面（３８，３９）が段状をなしていることを特徴とするロッド引張り装置。
【請求項２】
周方向で三区分された１２０°の角度範囲をそれぞれ有する三つの同一の爪部（２７）が設けられ、三つの爪部（２７）が連結手段（３４，３５）で互いに連結されていることとする請求項１に記載のロッド引張り装置。
【請求項３】
連結手段（３４，３５）は、隣接する二つの爪部（２７）を互いに閉位置へ弾性的に変位させる方向に、それぞれの爪部（２７）に形成された孔部（３６，３７）に挿入されたばね（３５）と協働するように配されたピン（３４）を有していることとする請求項２に記載のロッド引張り装置。
【請求項４】
各爪部（２７）は、ねじロッド（１）のねじ部（１ｂ）と協働可能な内ねじ面（３０）が形成された円筒部（２８）と、二つのエッジ案内面（３８，３９）で境界づけられる切頭円錐部（２９）とを有することとする請求項１ないし請求項３のうちの一つに記載のロッド引張り装置。
【請求項５】
各エッジ案内面（３８，３９）は上部（３８ａ，３９ａ）と下部（３８ｂ，３９ｂ）とを有し、上部（３８ａ）は隣接の爪部（２７）の案内面（３９）の上部（３９ａ）と共に上案内路（４０）を限界づけ、下部（３８ｂ）は隣接の爪部（２７）の案内面（３９）の下部（３９ｂ）と共に下案内路（４１）を限界づけており、上案内路（４０）が下案内路（４１）よりも狭くなっていることとする請求項１に記載のロッド引張り装置。
【請求項６】
爪部（２７）は、案内面（３８，３９）の下部（３８ｂ，３９ｂ）同士間で半径方向突出要素（５１）が滑動するときに閉位置にあり、上記案内面（３８，３９）の上部（３８ａ，３９ａ）同士間で滑動するときに開位置にあることとする請求項５に記載のロッド引張り装置。
【請求項７】
アクチュエータ（６）は、ねじロッド（１）のねじ部（１ｂ）を包囲する管状スリーブ（９）と、該管状スリーブと接触するシリンダ（８）と、管状スリーブ（９）内で軸方向に摺動するピストン（１０）とを有していることとする請求項１ないし請求項６のうちの一つに記載のロッド引張り装置。
【請求項８】
ピストン（１０）は、爪部（２７）の対応切頭円錐面（３１）と接触する切頭円錐面（２０）を有していることとする請求項７に記載のロッド引張り装置。
【請求項９】
アクチュエータ（６）は、引張り軸力を生ずるように、ピストン（１０）と開位置にある爪部（２７）付きのタイロッド（７）を駆動するために環状チャンバ（２１）に圧力流
体を供給する手段（２２）を有していることとする請求項７又は請求項８に記載のロッド引張り装置。
【請求項１０】
ばね（５０）が、ねじロッド（１）に軸力（Ｆ）を生じさせるようにピストン（１０）を駆動するために、アクチュエータ（６）内に設けられていることとする請求項９に記載のロッド引張り装置。
【請求項１１】
各爪部（２７）の切頭円錐部（２９）が、アクチュエータ（６）に向け半径方向に延びる肩部（３２）を有し、該肩部（３２）がワッシャ（３３）に当接するように位置していることとする請求項４ないし請求項１０のうちの一つに記載のロッド引張り装置。
【請求項１２】
周方向で互いに１２０°の角度に位置する三つのばね（５３）がピストン（１０）内でワッシャ（３３）に対して配されていて、爪部（２７）の軸方向位置の調整を可能としていることとする請求項１１に記載のロッド引張り装置。
【請求項１３】
請求項１ないし請求項１２のうちの一つに記載のロッド引張り装置を少なくとも二つ支持する半環状プレート（５５）と各ロッド引張り装置（２）のロック要素（４２）に同時に作用するように設けられたロックプレート（５６）とを有するねじロッドを引張るためのリム。
【請求項１４】
ねじロッド（１）に取り付けられたナット（３）と協働するレンチ（５）と協働するように設けられた駆動装置を有していることとする請求項１３に記載のねじロッドを引張るためのリム。
【請求項１５】
リムが１８０°の円弧状又は３６０°の円状をなす単一ブロックであることとする請求項１３又は請求項１４に記載のねじロッドを引張るためのリム。
【請求項１６】
請求項１３ないし請求項１５のうちの一つに記載の二つの同一のリムを有していて、各リムが１８０°の円弧状の単一ブロックをなしていると共に、さらに、上記リムを一緒にリバーシブルに組み立てるように設けられた組立手段を有していることとする引張りシステム。
【発明の詳細な説明】
【技術分野】
【０００１】
本発明は、ねじロッドが正規位置で、例えばナットで緊張状態にもたらされる前に、該ねじロッドを引張るための装置に関する。さらに、詳しくは、本発明は、二つの機械的構造を互いに締結するために用いられる予圧ねじロッド、さらには、該引張り装置のためのリム、そして引張りシステムに関する。これらのねじロッドは、特に、風力タービンや原子炉で、二つの機械的構造をしっかりと保持するために用いられることがある。
【背景技術】
【０００２】
ねじロッドの引張りは、締結されるべき構造の表面上に軸線方向で当接して配置されるナットに締結トルクを加えることによりなされる。この締結の方法は、ナットと該ナットにより締結されるべき部分の表面との間に、そしてナットとねじロッドとの間に摩擦が生ずるために、ねじロッドに伝えられるべき軸力を正確に制御することができない。さらには、この締結の方法は、ねじロッドに残留捩り応力を生じ、その結果、過度に大きい寸法のねじロッドを用いるようになってしまう。これに加え、このような締結は、締結中に、多くの場合、協働するナットとねじロッドのねじ部を損傷するとう重大なリスクをもたらす。締結時における回転の間、ナットが当接する面も、やはり損傷する。
【０００３】
これらの欠点を回避するために、ねじロッドは、締結されるべき構造の表面にナットが配置される前に、軸方向に緊張されるということもある。ねじロッドに与えられた軸力が解放されるとき、ナットはねじロッドをブロックする。かくして、ねじロッドはその軸方向のみにて予圧を受ける。ねじロッドに軸力を与えるためにアクチュエータを用いることができる。この場合は、引張られるべきねじロッドのねじ部にナットが配置された後に、ねじ部とナットを包囲するようにアクチュエータが配置される。大きな機械組立体は、幾つかのねじロッドにより保持される。このような引張り装置による引張操作の実行には、特に複数のねじロッドが重要であるときに、複数についてのねじ締めそしてその締めが必要となり、これが組立作業を長引かせ困難なものとしている。
【０００４】
特許文献１は、アクチュエータ、該アクチュエータからねじロッドへ軸力を伝えるタイロッドを有する引張り装置を開示している。このタイロッドは二つの爪部を有し、該爪部は、該ねじロッドがねじロッドのねじ部と係合する閉位置と、爪部がねじロッドから係合解除される開位置との間で半径方向に可動となっている。この引張り装置は、爪部を閉じたり開いたりするためのロック要素を爪部の内側に有している。ロック要素は爪部を開くためのラジアルフランジを有している。ロック要素がねじロッドに向け下方に移動すると、爪部はねじロッドから係合解除され、ロック要素が上方に移動すると、爪部はねじロッドと係合する。
【０００５】
このような特許文献１の引張り装置では、比較的大きいが故に、小さな装置での複数のねじロッドの引張りを困難とし、引張り装置の操作を容易でないものとしている。さらには、爪部は非常に正確に案内されるという訳でもない。
【先行技術文献】
【特許文献】
【０００６】
【特許文献１】フランス特許出願  ＦＲ２８４１３０４
【発明の概要】
【発明が解決しようとする課題】
【０００７】
本発明は、ねじロッドの引張りを容易にしつつロッド引張り装置を半径方向にコンパクトにし、その結果、同一の他の引張り装置と共に、複数のねじロッドを同時に引張るように配されることができることを目的としている。
【課題を解決するための手段】
【０００８】
本発明の一形態では、ロッド引張り装置は、引張り軸力を与えるように用いられるアクチュエータと、該アクチュエータからねじロッドのねじ部へ軸力を伝えるタイロッドと、ロック要素とを有している。
【０００９】
上記タイロッドは、該タイロッドが、ねじロッドのねじ部に係合する閉位置と、爪部がねじロッドのねじ部から解放される開位置との間を、半径方向に可動となっており、上記ロック要素は爪部の周囲で軸方向に滑動可能なスリーブを有している。該スリーブは爪部の対応外面と接触する切頭円錐内面を有している。
【００１０】
かかる引張り装置は、スリーブが爪部の外側に取り付けられているので、非常にコンパクトになる。さらに、切頭円錐面での接触が爪部の案内を良好にする。
【００１１】
好ましくは、周方向で三区分された１２０°の角度範囲をそれぞれ有する三つの同一の爪部が設けられている。三つの爪部は連結手段で互いに連結されている。
【００１２】
例えば、上記連結手段は、隣接する二つの爪部を互いに閉位置へ弾性的に変位させる方向に、それぞれの爪部に形成された孔部内に挿入されたばねと協働するように配されたピンを有している。
【００１３】
好ましくは、各爪部は、ねじロッドのねじ部と協働可能な内ねじ面が形成された円筒部と、段状に形成された二つのエッジ案内面で境界づけられる切頭円錐部とを有する。
【００１４】
一つの形態では、スリーブは、三つの半径方向突出要素を有し、各半径方向突出要素が二つの隣接爪部のエッジ案内面同士間で滑動するように配されていることとしてもよい。
【００１５】
好ましくは、各エッジ案内面は上部と下部とを有している。例えば、上部は隣接の爪部の案内面の上部と共に上案内路を限界づけ、下部は隣接の爪部の案内面の下部と共に下案内路を限界づけている。上案内路は下案内路よりも狭くなっている。
【００１６】
爪部は、案内面の下部同士間で半径方向突出要素が滑動するときに閉位置にあり、上記案内面の上部同士間で滑動するときに開位置にある。
【００１７】
アクチュエータは、ねじロッドのねじ部を包囲する管状スリーブと、該管状スリーブと接触するシリンダと、管状スリーブ内で軸方向に摺動するピストンとを有しているようにすることができる。
【００１８】
ピストンは、爪部の対応切頭円錐面と接触する切頭円錐面を有している。
【００１９】
好ましくは、アクチュエータは、引張り軸力を生ずるように、ピストンと開位置にある爪部付きのタイロッドを駆動するために環状チャンバに圧力流体を供給する手段を有している。
【００２０】
例えば、ばねは、ねじロッドに軸力Ｆを生じさせるようにピストンを駆動するために、アクチュエータ内に設けられている。
【００２１】
好ましくは、各爪部の切頭円錐部は、アクチュエータに向け半径方向に延びる肩部を有している。該肩部はワッシャに当接するように位置している。
【００２２】
周方向で互いに１２０°の角度に位置する三つのばねはピストン内でワッシャに対して配されていて、爪部の軸方向位置の調整を可能としているようにすることができる。
【００２３】
さらに、本発明は、ねじロッドを引張るためのリムを提供する。該リムは、上述のロッド引張り装置を少なくとも二つ支持する半環状プレート（５５）とロックプレートを有している。該ロックプレートはロッド引張り装置のロック要素（４２）に同時に作用するように設けられている。
【００２４】
好ましくは、リムは、駆動装置が、ねじロッドに取り付けられたナットと協働するレンチと協働するように設けられた駆動装置を有している。
【００２５】
リムは１８０°の円弧状又は３６０°の円状をなす単一ブロックとすることができる。      
【００２６】
本発明はさらに、二つの同一のリムを有していて、各リムが１８０°の円弧状の単一ブロックをなしていると共に、さらに、上記リムを一緒にリバーシブルに組み立てるように設けられた組立手段を有している引張りシステムにも関している。
【発明の効果】
【００２７】
スリーブが爪部の外側に取り付けられているということ、隣接する二つの爪部を連結するための連結手段が爪部内にあることにより、本発明の引張り装置は特にコンパクトな構造となる。爪部は、切頭円錐面により非常に正確に案内され確実にロックされる。さらには、爪部の自己ロックのリスクが回避される。
【図面の簡単な説明】
【００２８】
【図１】本発明による引張り装置の半部を示す軸線方向での断面図で、爪部が開位置で引張圧が解除されている状態を示している。
【図２】本発明による引張り装置の半部を示す軸線方向での断面図で、爪部が閉位置で引張圧が解除されている状態を示す。
【図３】図２におけるIII−III断面図である。
【図４】本発明による引張り装置の半部を示す軸線方向での断面図で、爪部が閉位置にあって引張力が作用している状態を示す。
【図５】本発明の引張り装置を複数同時に作動させる引張りシステムの概要の構成図である。
【発明を実施するための形態】
【００２９】
本発明は、添付図面にもとづく、以下のいくつかの実施形態の詳細な説明により、さらに理解されるであろう。
【００３０】
先ず、図１は本発明による引張り装置の一実施形態を示しており、ねじロッド１が、符号２で装置全体が示されている引張り装置により軸線方向に予圧され、しかる後、締結されるべき構造４の表面４ａに当接して位置が維持されるナット３によって上記予圧が維持される。ねじロッド１は、ヘッド１ａとねじ部１ｂとを有している。締め付けレンチ５はナット３の周囲に取り付けられている。該締め付けレンチ５はナット３の周囲に取り付けられている。該締め付けレンチ５はナット３を包囲していて該ナット３の対応外面に接触する内面を有している。通常、締め付けレンチ５は六角中央孔（図示せず）を有している。
【００３１】
引張り装置２は、タイロッド７を介して軸力Ｆをねじ部１ｂへ与えるように設けられたアクチュエータ６を有している。
【００３２】
アクチュエータ６は、シリンダ８と、該シリンダ８と接している管状スリーブ９と、ピストン１０とを有している。アクチュエータ６は、ねじロッド１の端部を包囲している管状スリーブ９を介して、締結されるべき構造４の表面４ａと接している。管状スリーブ９内には、上記表面４ａに向けナット３を回転させるために、ナット３に作用可能な不図示の手段のための通し空所１１が形成されている。この不図示の手段は、ナット３を回転させるためのレンチ５と協働するために、上記通し空所１１を通って挿入される。かくして、ナット３は表面４ａに対して締め付けられる。
【００３３】
ピストン１０は管状スリーブ９内を軸方向に滑動する。管状スリーブ９はアキシャル部１２とラジアルフランジ部１３とを有している。ラジアルフランジ部１３はピストン１０に向け内方に延びている。アキシャル部１２は、締結されるべき表面４ａの反対方向に向け軸方向に延びるリブ１４を有している。該リブ１４はシリンダ８の内面１５に接触して、シリンダ８内で管状スリーブ９をセンタリングすることで、シリンダ８上で管状スリーブ９の半径方向での位置を定めている。全体として管状をなすピストン１０は、管状部１６、管状スリーブ９に向け半径方向に延びるフランジ部１７、そしてねじロッド１の方向に向け半径方向に延びるラジアルフランジ部１８を有している。管状部１６は内面１９を有し、ラジアルフランジ部１８は切頭円錐内面２０を有している。管状部１６は管状スリーブ９のラジアルフランジ部１３に接し、フランジ部１７は管状スリーブ９のアキシャル部１２に接している。
【００３４】
上記ピストン１０のフランジ部１７と管状スリーブ９のラジアルフランジ部１８との間には環状チャンバ２１が形成されている。ピストン１０を作動させてロッド１に軸力Ｆを加えるための圧力流体を上記環状チャンバ２１に供給する手段も設けられている。
【００３５】
フランジ部１７の半径方向外面には環状溝２３が形成されている。該環状溝２３には、管状スリーブ９のアキシャル部１２の内面と接触してシール要素２４が取り付けられている。ラジアルフランジ部１３の半径方向内面には環状溝２５が形成されている。該環状溝２５には、ピストン１０の管状部１６の外面に接触してシール要素２６が取り付けられている。シール要素２４と２６は環状チャンバ２１のシールを確実にしている。
【００３６】
タイロッド７は実質的に同一な三つの爪部２７を有している。各爪部２７は円筒部２８と切頭円錐部２９とを有している。円筒部２８は、ねじ部１ｂと協働するようになっている内ねじ面３０とピストン１０の対応面２０に接触可能な切頭円錐台面３１とを有している。非限定的な例では、上記切頭円錐部２９はワッシャ３３に当接する肩部３２を有しているようにすることができる。ワッシャ３３は複数の爪部２７に応力を均等配分するために配されている。三つの爪部２７のそれぞれは、アクチュエータ６の縦軸（Ｘ）上に回転軸をもつ部材をなしており、それぞれが周方向に約１２０°にわたり及んでいる。三つの爪部２７は、二つの連結手段３４，３５で互いに二つずつ連結されている。限定されない例では、二つの爪部２７を互いに連結する連結手段は、二つの爪部２７を互いに弾性的に圧するためのばね３５と協働するピン３４を有している。孔部３６，３７が各爪部２７の切頭円錐部２９に形成されている。
【００３７】
切頭円錐部２９は、二つのエッジ案内面３８，３９を有している。各エッジ案内面３８，３９は段形状をなしており、それぞれ上部３８ａ，３９ａそして下部３８ｂ，３９ｂを有している。爪部２７の上部３８ａは、隣接する爪部２７の上部３９ａと共に、二つの隣接する爪部２７の間に上案内路４０を形成している。同様に、爪部２７の下部３８ｂは、隣接する爪部２７の下部３９ｂと共に、二つの隣接する爪部２７の間に下案内路４１を形成している。上案内路４０は下案内路４１よりも狭くなっている。
【００３８】
ロック要素４２は円錐部４４の両端の一方の側にスリーブ４３を有している。円錐部４４は、爪部２７の切頭円錐部２９の対応外面と接触する切頭円錐内面４５を有している。スリーブ４３は、かくして、上記爪部２７を囲むように、該爪部２７に関して半径方向外方に設けられている。したがって装置２は半径方向断面で非常にコンパクトとなる。スリーブ４３は、円錐部４４に対して反対側の該スリーブ４３の端部にヘッド４６を有している。ロック要素４２は、円錐部４４とシリンダ８との間に設けられた螺旋ばね４７により所定位置に維持されている。
【００３９】
図示の実施形態では、スリーブ４３の方へ向け軸方向に延びるスペーサリング４８がピストン１０に取り付けられている。スペーサリング４８はばね５０に接触する補強部４９を有している。このばね５０は、他の例としては、スペーサリング４８のような中間部材に接することなく、直接にピストン１０と接触してもよい。
【００４０】
スリーブ４３の円錐部４４には、三つの半径方向に向く突出要素５１が取り付けられている。各突出要素５１は、隣接する二つの爪部２７の間で上案内路４０又は下案内路４１を貫通して延びている。したがって、この突出要素５１によって、爪部２７は互いに間隔を変更してその位置で維持される。
【００４１】
各爪部２７の上部３９ａには適宜手段によりクロスピース５２が取り付けられていて、隣接爪部２７の対応上部３８ａと協働するようになっている。例えば、クロスピース５２は、互いに対面するように、各爪部の案内面３８と３９の上部３８ａと３９ａに取り付けられてもよい。あるいは、クロスピース５２は、各爪部の上部３９ａの一つの突出部によって、あるいは各爪部の各上部３８ａと３９ａのそれぞれの突出部によって置き換えられてもよい。
【００４２】
ピストン１０のフランジ部１７内にはワッシャ３３の方に向け、ばね５３が取り付けられている。このばね５３は、互いに１２０°の位置に取り付けられている。これらのばね５３の大きさは、爪部２７の重量に、そして螺旋ばね４７によりもたらされる軸方向力に依存する。このばね５３はワッシャ３３に軸方向力を付与して爪部２７の軸方向位置のスライド調整を可能とし、爪部２７がねじロッド１のねじ部１ｂと、十分な協働を行い、ねじに損傷をもたらさないように、適切に係合する。爪部２７は、このように、軸方向の変位の可能性をもって、主として半径方向に変位する。ワッシャ３３は、ばね５３を損傷することなく、爪部２７の回転を可能とする。
【００４３】
引張り装置は、次のようにして、図示のように作動する。
【００４４】
図１に示された引張り装置は、爪部２７が開位置にあって、この位置では爪部２７はねじロッド１から係合解放の状態にある。構造４に一つもしくは複数のねじロッド１が取り付けられている。引張り装置２が、引張られるべき各ねじロッド１に位置付けられる。アクチュエータ６は、管状スリーブ９のアキシャル部１２の端縁が表面４ａに接するまで、構造４の表面４ａに向け下げられる。爪部２７同士間の間隔により、アクチュエータ６はねじロッド１を囲むようになる。
【００４５】
図２に示される引張り装置２は、爪部２７が閉位置にあり、この位置では爪部２７はねじロッド１と係合している。この状態にもたらすには、先ず、アクチュエータ６が、ねじロッド１を囲むように位置付けられ、次に、スリーブ４３が、空圧手段の操作により、下方に押されて切頭円錐部２９の肩部３２に向け、爪部２７上を軸方向にスライドする。円錐部４４は爪部２７の切頭円錐部２９を囲むようになる。このスライド移動で、円錐部４４とシリンダ８の面の間に位置するばね４７は圧縮が軽減される。これと同時に、各半径方向に向く突出要素５１（図１と図３参照）が隣接する二つの爪部２７の案内面３８と３９をスライドして、先ず上案内路４０そして次に下案内路４１内でスライドする。上案内路４０が周方向で下案内路４１よりも狭いので、爪部２７は、ばね３５の付勢作用そしてピン３４により、図２に示されている閉位置で積極的に付勢される。内ねじ面３０がねじロッド１のねじ部１ｂと接触するようになり、両ねじ面が互いに面して、爪部２７の内ねじ面３０が、引張られるべきねじロッド１のねじ部１ｂから係合し始める。各爪部２７はねじロッド１の方へ向け半径方向に変位しピストン１０が、図１に見られるように、同位置を維持しているので、爪部２７とピストン１０との間に半径方向の隙間が形成される。
【００４６】
隣接する二つの上部３８ａと３９ａが、それぞれクロスピース５２を介して接触するようになり、上記クロスピース５２の存在により、隣接する二つの爪部２７の間には隙間が維持される。
【００４７】
図３は図２のIII−III線での断面図である。図３に見られるように、三つの爪部２７は、上記孔部３６と３７内に位置するピン３４と該ピン３４と協働するばね３５により、ねじロッド１を囲みその位置を維持する。スリーブ４３上に位置する、半径方向の突出要素５１は爪部２７の下部３８ｂと３９ｂの間に位置する。
【００４８】
図４に示される引張り装置２は、爪部２７が閉位置にある状態を示しており、この状態ではねじロッド１が予応力を受けている。上記環状チャンバ２１に圧力流体を供給する手段２２が設けられている。ピストン１０はワッシャ３３に向け上方にスライドする。ピストン１０の切頭円錐内面２０は爪部２７の対応する面３１と接触する。
【００４９】
ピストン１０に取り付けられているスペーサリング４８はピストン１０に対してスライドしねじロッド１に軸力Ｆをもたらす。かくして、ばね５０はスペーサリング４８の補強部４９により圧縮される。クロスピース５２により、切頭円錐部２９は、ピストンがスライドしねじロッド１に軸力Ｆが加えられるとき、損傷を受けることはない。特に、爪部２７の切頭円錐部２９の上端縁近傍での少なくとも一つのクロスピース５２の存在が、切頭円錐部２９が損傷を受けないことを確実にし、その結果、スリーブ４３は、爪部２７の自己ロックそして引張り装置のブロッキングというリスクなくして、下方へスライドできる。
【００５０】
ピストン１０は、爪部２７を経てねじロッド１へ軸力Ｆを与える軸力Ｆがねじロッド１へ伝えられた後には、表面４ａ上でナット３を締めるようにして、電動モータ等の適切手段にょって、締め付けレンチ５が駆動される。ナット３の締め付け後、引張り装置２によりもたらされた軸力が消失するように、環状チャンバ内の圧力流体の圧力が解放される。環状チャンバ内で圧力解放されると、ばね５０が圧縮を解除されスペーサリング４８に軸方向力をもたらし、これによりピストン１０が下方にスライドする。
【００５１】
しかる後、ロック要素４２が手動あるいは空圧手段（図示せず）により上方に移動され、爪部２７の案内面３８と３９の間で半径方向の突出要素５１と係合し、内ねじ面３０がねじロッド１から解放されるようになる。
【００５２】
本発明は、構造に対して複数のねじロッドを引張るようにして用いられると有利である。例えば、装置に設けられた二つの半体リムあるいは一つの単一リムが複数の引張り装置を支持できるようになっていて、構造にて複数のねじロッドを同じに緊締する。図５に見られるように、引張りシステム５９が、複数の引張りねじロッド１のための、同一な二つのリム５４を有している。各リム５４は、図示のように、１８０°の半円状の単一ブロックが互いに逆方向で組立手段（図示せず）により組み立てられる。各リム５４は、上述のように、複数の引張り装置２を支持する半円環状の支持プレート５５を二つ有している。図５の例では、二つの引張り装置２が二つ示されている。実用の際には、上記支持プレート５５にはもっと多くの数の引張り装置が取り付けられる。これらの引張り装置は半円環状の支持プレート５５上で周方向に位置して配される。各ロック要素４２に同時に作用するように一つのロックプレート５６が配されている。このロックプレート５６は、例えば、油圧、空圧、電動、電磁気装置等の形式のアクチュエータにより作動する。
【００５３】
液圧ユニット５７が各引張り装置２にライン５８を経て接続されている。
【００５４】
対応ねじロッド１のそれぞれがナット（図示せず）により締められると、支持プレート５５は、引張り装置がねじロッドの端部をカバーするようにして、配設される。しかる後、複数のロック要素４２を同時に押すように、複数の爪部は、ロックプレート５６上で圧せられることにより、閉位置へと押される。圧力流体が液圧ユニット５７のライン５８を経てすべての引張り装置２へ供給されて、すべてのねじロッドへ軸力を同時生じさせる。それからナットが各締め付けレンチ５に作用するように駆動手段（図示せず）により締められる。各引張り装置２に生ずる引張り力は、しかる後に、液圧ユニット５７の作動により同時に解放される。
【００５５】
スリーブが爪部の外側に取り付けられているということ、隣接する二つの爪部を連結するための連結手段が爪部内にあることにより、本発明の引張り装置は特にコンパクトな構造となる。爪部は、切頭円錐面により非常に正確に案内され確実にロックされる。さらには、爪部の自己ロックのリスクが回避される。
【符号の説明】
【００５６】
１  (ねじ)ロッド
１ｂ  ねじ部
２  引張り装置
３  ナット
６  アクチュエータ
７  タイロッド
８  シリンダ
９  （管状）スリーブ
１０  ピストン
２１  環状チャンバ
２２  （圧力流体を供給する）手段
２７  爪部
２８  円筒部
２９  切頭円錐部
３２  肩部
３３  ワッシャ
３４，３５  連結手段
３５  ばね
３６，３７  孔部
３８，３９  （エッジ）案内面
３８ａ，３９ａ  上部
３８ｂ，３９ｂ  下部
４０  上案内路
４１  下案内路
４２  ロック要素
４３  スリーブ
４５  切頭円錐内面
５１  （半径方向）突出要素
５３  ばね
５４  リム
５５  （半環状）プレート
５６  ロックプレート
【図１】
0005875767.tif 000002
【図２】
0005875767.tif 000003
【図３】
0005875767.tif 000004
【図４】
0005875767.tif 000005
【図５】
0005875767.tif 000006